(57)【要約】【課題】  従来の携帯機器では、視認性良く、バッテリ残量や電波状況などの携帯機器のステータス情報を確認するためには、携帯機器を鞄やポケットから取り出すだけではなく、蓋を開く操作やキーを押すなどの操作が必要で、また、従来の携帯機器のキーロック制御方式では、使用する場合には、キーの長押しや、スライドスイッチの設定切り替えなどの操作が必要で、携帯機器の使い勝手が良くなかった。【解決手段】  本発明は、液晶表示部及び前記液晶表示部のバックライト部を有する携帯機器において、前記携帯機器の周囲の光量を検出する光センサーと、人が触れたことを検出するタッチセンサーと、前記光センサー及び前記タッチセンサーを用いて前記バックライト部を制御する制御部と、を備えることを特徴とする。【選択図】  図１
2005354544.tif 000002
【特許請求の範囲】
【請求項１】
液晶表示部及び前記液晶表示部のバックライト部を有する携帯機器において、  
前記携帯機器の周囲の光量を検出する光センサーと、
人が触れたことを検出するタッチセンサーと、
前記光センサー及び前記タッチセンサーを用いて前記バックライト部を制御する制御部と、を備えることを特徴とする携帯機器。
【請求項２】
請求項１記載の携帯機器において、
前記制御部は、前記光センサーの検出結果及び前記タッチセンサーの検出結果を用いて前記バックライト部の点灯・消灯を制御することを特徴とする携帯機器。
【請求項３】
請求項１記載の携帯機器において、
前記制御部は、周囲の光量が増加したとき、前記バックライト部を点灯するように制御することを特徴とする携帯機器。
【請求項４】
液晶表示部、前記液晶表示部のバックライト部、及び複数の操作キーを有する携帯機器において、
前記携帯機器の周囲の光量を検出する光センサーと、
人が触れたことを検出するタッチセンサーと、
前記光センサー及び前記タッチセンサーを用いて前記操作キーの入力を制御する制御部と、を備えることを特徴とする携帯機器。
【請求項５】
請求項４記載の携帯機器において、
前記制御部は、前記操作キーの入力があった場合に、前記光センサーの検出結果及び前記タッチセンサーの検出結果を用いて前記操作キーの入力を受付けるか否か制御することを特徴とする携帯機器。
【請求項６】
請求項４記載の携帯機器において、
前記制御部は、周囲の光量が一定の閾値以上のとき、前記操作キーの入力を受付けるように制御することを特徴とする携帯機器。
【請求項７】
請求項１から６の何れか記載の携帯機器において、
時計部を有し、前記制御部は、前記時計部の時刻情報を用いて制御を行うことを特徴とする携帯機器。
【請求項８】
請求項７記載の携帯機器において、時刻情報を季節、月、月日などの日付毎に指定できることを特徴とする携帯機器。
【請求項９】
請求項７記載の携帯機器において、時刻情報をネットワークを通じて入手することを特徴とする携帯電話機。
【発明の詳細な説明】
【技術分野】
【０００１】
本発明は、携帯機器に関し、例えば、携帯電話機に関する。
【背景技術】
【０００２】
従来、携帯電話機をはじめとする携帯機器では、バッテリ寿命を延ばすために、一定時間操作が行われなかった場合などに、液晶のバックライトや表示をオフにする制御を行っているものが多くみられる。
【０００３】
例えば、特許文献１には、光センサを有し、周囲の明るさによって、操作中でも、明るいところでは、バックライトの点灯しないように制御することで、省電力化を図った携帯機器が示されている。
【０００４】
また、従来、携帯電話機では、鞄やポケットに入れた状態時に、操作スイッチが誤って押されてしまう誤操作を回避するため、メニュー選択などにより、一定時間操作が行われなかった場合に、キーロックがかけられるように設定できる携帯電話機が多くみられる。
【０００５】
例えば、特許文献２には、光センサーを有し、周囲の明るさによって、キーロック／解除がなされる携帯機器が示されている。また、特許文献３には、タッチセンサーを有することより、接触を検出して、バックライトの点灯制御や、操作キーのキーロック解除制御を行う携帯電話機が示されている。
【０００６】
【特許文献１】特開平10-104572号公報
【特許文献２】特開平09-107324号公報
【特許文献３】特開2001−127866号公報
【発明の開示】
【発明が解決しようとする課題】
【０００７】
しかしながら、特許文献１記載の携帯機器のバックライトの制御では、キー操作などを行わないとバックライトが点灯しない。
【０００８】
また、特許文献２記載の光センサーによる制御では、明るいところではバックライトを点灯させないように制御しているため、視認性良くバッテリ残量や電波状況やメールの着信状況や時刻などの携帯機器のステータス情報を確認することができない。即ち、
バックライトを点灯させて視認性を高めるには、ユーザが蓋を開いたり、キーを押したりしなければならなかった。
【０００９】
また、特許文献３記載のタッチセンサーを用いた制御では、鞄やポケットの中に手を入れて触れた場合に、必要がないにも関わらずバックライトが点灯してしまう。また、キーロック制御方式では、誤操作を防げる半面、使用する場合には、キーの長押しや、スライドスイッチの設定切り替えなどの操作が必要だった。さらに、光センサーによるキーロック制御の場合は夜間は適用できないという課題があり、タッチセンサーによるキーロック制御の場合はセンサーのある場所を触れなければ反応しないという課題があった。
【００１０】
本発明の目的は、上記従来技術の課題を解決し、携帯機器の使い勝手の向上を図ることにある。
【課題を解決するための手段】
【００１１】
上記課題を解決するため、本発明は、液晶表示部及び前記液晶表示部のバックライト部を有する携帯機器において、前記携帯機器の周囲の光量を検出する光センサーと、人が触れたことを検出するタッチセンサーと、前記光センサー及び前記タッチセンサーを用いて前記バックライト部を制御する制御部と、を備えることを特徴とする。
【発明の効果】
【００１２】
本発明によれば、使い勝手の良い携帯機器を提供することが可能となる。
【発明を実施するための最良の形態】
【００１３】
ここで説明する本発明の実施の形態としては、携帯電話機やパーソナル情報端末など、薄型の情報表示部、特に透過型液晶や半透過型液晶や微反射型液晶など視認性をよくするためにバックライトが必要な表示部と、複数の操作キーやタブレットなどの操作入力部を持ち、持ち運べるようにバッテリ駆動などオフラインによる電源供給が可能となっているために省電力制御が必要な機器の表示制御や、持ち運べるためにバッグや鞄やポケットなどに入れておいたときに誤操作が発生する可能性がある機器の操作入力部のマスク制御に関する。
【００１４】
以下、本発明の実施形態の具体例を、図面を用いて説明する。まず、実施例１について説明する。
【００１５】
図１は、携帯電話機の本発明に関わる制御部の一実施例を示すブロック構成図である。図中、１０１０は通信信号のベースバンド処理機能を含む制御プロセッサ部、１０２０は電話番号などの情報を表示する液晶表示部、１０４０は前記液晶表示部の駆動を制御する液晶表示駆動制御部、１０３０は前記液晶表示部の照明用のバックライト、１０５０は前記バックライトを制御するバックライト駆動制御部、１０６０は電話番号や各種操作を入力するための操作キー部、１０７０は呼出音や音楽などの信号を生成する呼出音生成制御部、１０８０は電話送・受話音声のＣＯＤＥＣ処理を行う音声処理部、１０９０は前記呼出音生成制御部１０７０や前記音声処理部１０８０から出力される信号を音に変えるスピーカ（受話部）、１１００は前記音声処理部１０８０に送話音声を電気信号として与えるマイク（送話部）である。１１１０は携帯電話機の無線通信信号のＲＦ処理を行う無線通信回路部、１１２０は無線信号用アンテナである。１１３０は本携帯電話機の周囲の明るさを検出する光センサー（フォトセンサー）、１１４０は本携帯電話機に人が触れたことを検出するタッチセンサーである。ここで、スピーカ１０９０は、呼出音生成制御部１０７０からの呼出音や音楽と、音声処理部１０８０からの受話音声のいずれの信号も鳴らすようになっているが、呼出音や音楽を鳴らすスピーカと受話音声を鳴らすスピーカを分けても良い。
【００１６】
着信の場合、呼出し信号がアンテナ１１２０で受信され、無線通信回路部１１１０に出力され、無線通信回路部１１１０で復調処理されて、受信データとして制御プロセッサ部１０１０に出力される。制御プロセッサ部１０１０では、本受信データが呼出コマンドデータであることを判別し、制御プロセッサ部１０１０に保持している呼出し音データ情報からデータを読み出して、適切な呼出し音データを呼出音生成制御部１０７０に出力する。呼出音生成制御部１０７０では、入力される呼出し音データに基づいて呼出し音の信号を生成し、スピーカ（受話部）１０９０に与え、スピーカ１０９０によって、呼出し音が鳴り、着信呼出しがあることを示す。同時に制御プロセッサ部１０１０は、液晶駆動制御部１０４０に着信があったことを示す表示データ出力し、かつバックライト駆動制御部にバックライト点灯制御信号を与えて、着信があることを表示することも可能である。
【００１７】
発信の場合、操作キー部１０６０のキー操作によって、呼出し相手の電話番号を直接入力するか、又は制御プロセッサ部１０１０に保持しているアドレス帳データをメニューから選択し、発呼操作が行われる。その操作キー部１０６０からのキー操作データが制御プロセッサ部１０１０に出力され、制御プロセッサ部１０１０では、そのキー操作データと制御プロセッサ部１０１０に保持しているデータとプログラムから必要な発呼データを生成して、無線通信回路部１１１０に出力する。無線通信回路部１１１０では、その発呼データを変調処理してアンテナ１１２０に出力し、アンテナ１１２０から無線電波として送信される。
【００１８】
通話中の受話音声信号は、アンテナ１１２０で受信され、無線通信回路部１１１０に出力され、無線通信回路部１１１０で復調処理されて、受信データとして制御プロセッサ部１０１０に出力される。制御プロセッサ部１０１０では、本受話データが音声データであることを判別し、その音声データを音声処理部１０８０に出力し、音声処理部１０８０で音声信号に復調されて、スピーカ１０９０に音声信号として出力され、スピーカ１０９０で音として再生される。また、送話音声は、マイク（送話部）１１００から入力され、送話音声信号に変換して、音声処理部１０８０に出力する。音声処理部１０８０では、送話音声のアナログ信号からデジタルデータに変換され、送話音声データとして制御プロセッサ部１０１０に出力される。制御プロセッサ部１０１０では、送話音声データを携帯電話用のデータフォーマットに変換して、無線信号回路部１１１０に出力する。無線信号回路部１１１０では、その送話音声データを変調処理してアンテナ１１２０に出力し、アンテナ１１２０から無線電波として送信される。
【００１９】
また、着信、発信、通話などの通信や操作を行っていない待ち受け状態の場合、本携帯電話機の電力消費を抑えるため、制御プロセッサ部１０１０は、液晶駆動制御部１０４０に液晶の駆動を停止するよう制御信号を出力し、バックライト駆動制御部１０５０にバックライトを消灯するよう制御信号を出力して、制御プロセッサ部１０１０も定期的に状態を監視するための周期を管理するタイマー機能のみ動作させて、スリープ状態にする。
【００２０】
制御プロセッサ部１０１０は、状態監視周期管理タイマー機能によってスリープ状態から復帰し、操作キー１０６０の入力状態、光センサー１１３０やタッチセンサー１１４０の検出信号レベルなどをチェックして、制御プロセッサ部のメモリに保持しているプログラム或いは状態遷移条件テーブルに従って、その後の動作が決定される。例えば、プログラムされている復帰条件を満たしていなければ、再度状態監視周期管理タイマーをセットしてスリープ状態に移行する。一方、操作キー１０６０の入力や、光センサー１１３０やタッチセンサー１１４０の出力を検出した場合、状態監視周期管理タイマーを停止させ、液晶駆動制御部１０４０に表示データを与え、バックライト制御部１０５０にバックライト１０３０を点灯するように制御する。
【００２１】
なお、図示はしていないが、データ、プログラムを記憶する記憶部を備えるように構成しても良い。例えば、静止画データ、動画データ、音楽データ、音声データ、アドレス帳データ等のデータが記憶される。
【００２２】
本携帯電話機において、携帯電話機が待ち受け状態にあり、鞄やバッグの中に置かれているところから、発信、着信或いは本携帯電話の備えている機能を利用するための操作などを行うために、手で取り出した場合、タッチセンサー１１４０の検出出力は、人が触れたことを示すレベルに変化し、また、光センサー１１３０の検出出力は、明るさが暗いことを示すレベルから明るいことを示すレベルに変化する。前記したように、本携帯電話機の制御プロセッサ部１０１０は待ち受け状態でスリープ状態になり、前記状態監視周期管理タイマーにより数十ミリ秒から数秒の周期で周期的に復帰し、操作キー１０６０や光センサー１１３０やタッチセンサー１１４０の検出出力の状態をチェックするため、タッチセンサーが接触を示す値になったことや、光センサーが明るくなったことを示す値になったことを検出し、携帯電話機が取り出されたことを認識して、液晶駆動制御部１０４０やバックライト制御部１０５０を制御して、電波の状態や時計表示やメールの受信状況や電池残量などの各種情報を表示する。これにより、携帯電話機をバッグや鞄などから取り出すだけで、前記した電波の状態や時計表示やメールの受信状況や電池残量などの各種情報を確認でき、使い勝手が向上する。また、これらの情報を常時表示している場合に比べ、電力の低減を図ることが可能である。
【００２３】
また、制御プロセッサ部１０１０が、操作キー１０６０の一部或いは全てのキー入力をマスクする機能を備えている場合、前記待ち受け状態にあり、前記周期的な操作キー１０６０や光センサー１１３０やタッチセンサー１１４０の検出出力の状態をチェックする時に、光センサー１１３０やタッチセンサー１１４０の検出出力によって、一部或いは全てのキー入力をマスク制御する。これにより携帯電話機が前記バッグや鞄の中にあるときには、キー入力をマスクすることで、キーが何かに当たり押されてしまった場合などに生じるキーの誤操作を防げ、かつバッグや鞄などから取り出したときには、特に特別な操作や設定をすることなく、キー入力が可能になる。これによって、使い勝手の向上が図れる。
【００２４】
なお、キー入力のマスク機能とは、キーが押し下げ等された場合であっても、一定の場合にはその入力を受付けず、キー入力を無効化する機能をいう。
【００２５】
図２は本発明に関わる制御プロセッサの表示、バックライト制御の一実施例を示すフローチャートである。制御プロセッサは、ステップ２０１０で操作キー部の状態をチェックし、キー操作の有無を確認する。キー操作があった場合、操作されたキーに応じた処理（ステップ２０７０）を実施して、バックライトの点灯時間を管理するタイマーの設定を初期化（ステップ２０８０）し、バックライトを点灯する。
【００２６】
キー操作がなかった場合、バックライトの自動点灯制御を許可するモードに設定されているかをチェック（ステップ２０２０）し、許可されている場合、光センサーがある値以上の明るさを検出しているかをチェック（ステップ２０３０）し、基準を越える明るさを検出している場合、バックライトが点灯されているかをチェック（ステップ２０５０）し、点灯中でなければ、前記キー操作があった場合と同様にバックライトの点灯時間を管理するタイマーを初期化（ステップ２０８０）し、バックライトを点灯（ステップ２０９０）する。バックライトが点灯中の場合、バックライトの点灯時間を管理するタイマーがタイムアウトしていないかチェック（ステップ２０６０）し、タイムアウトしていない場合、そのままバックライトの点灯を維持する。タイムアウトしている場合、情報確認に必要な時間の間、バックライトを点灯したものとして、省電力化のためバックライトを消灯（ステップ２１１０）する。このタイムアウトによるバックライト消灯（ステップ２１１０）では、タイマーの初期化をしないことで、一度タイムアウトした場合、キー入力が発生するか、光センサー及びタッチセンサーの検出出力がなくならない限り、再度バックライトが点灯してしまうことがないようにしている。
【００２７】
ステップ２０３０で、光センサーが基準を越える明るさを検出していない場合、タッチセンサーが、人が触れていること（以下、タッチと略す）を検出しているかをチェック（ステップ２０４０）し、タッチを検出している場合、前記ステップ２０３０で基準を越える明るさを検出している場合と同じステップ２０５０へと進む。ステップ２０４０でタッチを検出していない場合、携帯電話機はバッグや鞄の中にあると判断し、次に明るさを検出又はタッチを検出したときに、バックライトを点灯するようにするため、タイマーを初期化（ステップ２１００）して、バックライトを消灯（ステップ２１１０）する。
【００２８】
ステップ２０２０で、バックライトの自動点灯制御を禁止するモードに設定されている場合、前記したステップ２０６０のバックライトの点灯時間を管理するタイマーがタイムアウトしていないかをチェックするステップに移行し、タイムアウトしていた場合は、バックライトの消灯を行う（ステップ２１１０）。
【００２９】
このように制御することで、キー操作がなくともバッグや鞄などから取り出されたときに、バックライトを点灯して、ステータス情報などを確認しやすくすることができる。また、光検出ができない場合、例えば夜間屋外にいる場合等に、光センサーに代わりタッチセンサーを用いることで、鞄から取り出された場合にもキー操作を行うことなくバックライトを点灯し、ステータス情報などを確認しやすくすることができる。
【００３０】
また、本例では光検出のチェック（ステップ２０３０）がフローチャート上、前段に来ているが、タッチ検出のチェック（ステップ２０４０）と光検出のチェック（ステップ２０３０）を入れ替えるフローチャート構成も考えられる。
【００３１】
図３は本発明に関わる制御プロセッサの表示、バックライト制御の別の一実施例を示すフローチャートである。前記、図２の実施例のフローチャートでは、光検出とタッチ検出の条件を論理和条件としているが、図３の実施例では、論理積条件としたものである。全体的なフローは図２の実施例と同様となっているが、バックライト自動点灯制御モードであった場合、光センサーの光検出（ステップ３０３０）とタッチセンサーのタッチ検出（ステップ３０４０）いずれもが検出された（論理積）場合にのみ、バックライトが点灯されているかをチェックするステップ３０５０に進む。光検出（ステップ３０３０）又はタッチ検出(ステップ３０４０)がなされなかった場合、携帯電話機はバッグや鞄の中にあると判断し、次に明るさを検出又はタッチを検出したときに、バックライトを点灯するようにするため、タイマーを初期化（ステップ３１００）して、バックライトを消灯（ステップ３１１０）する。
【００３２】
このように制御することにより、例えば鞄の中でキーが押されても明るさが十分でないためバックライトが点灯されず、消費電力の低減を図ることができる。また、例えば周囲が明るくなった場合でも、タッチ検出されていない場合にはユーザが操作をしていないとしてバックライトが点灯されず、消費電力の低減を図ることができる。
【００３３】
図４は本発明に関わる制御プロセッサの表示、バックライト制御の第３の一実施例を示すフローチャートである。本実施例では、制御プロセッサ部にリアルタイムクロック機能或いは携帯通信ネットワークなどを通じて、現在の時刻を知る機能を持つものとし、本実施例のフローチャートは、前記、図２の実施例のフローチャートに対し、光検出がない場合に、タッチ検出ステップに移行する前に、時刻による判定を加えた例である。全体的なフローは図２と同様となっているが、ステップ４０３０で光センサーが基準を越える明るさを検出していない場合、現在の時刻をチェック（ステップ４１２０）し、周囲が暗い夜間の時間帯の場合は、光センサーの情報のみで判断せず、タッチセンサーがタッチを検出しているかをチェック（ステップ４０４０）して人の操作の有無を判断するようにしたものである。即ち、通常は光センサーを使用する一方、時間帯に応じてタッチセンサーをも併用するようにしている。周囲が明るい日中の時間帯の場合は、光センサーの光検出値のみで、制御をするようにして、判定を単純化している。なお、明るい日中の時間帯と暗い夜間の時間帯は、制御プロセッサ部のメモリに設定値として設定できるようにしておく。また、日付や位置情報から自動的に判断するようにしてもよい。また、携帯通信のネットワークを通じて設定してもよい。日中の時間帯（周囲が明るい時間帯、例えば日の出から日の入りまでの時間帯）は季節によって変化するため、予めこの時間帯の情報を記憶部にプリセットしておいたり、ネットワークを通じて位置情報に応じた時間帯の情報を取得するようにしても良い。
【００３４】
なお、位置情報はＧＰＳを用いた位置情報検出部（図示せず）、時刻情報は携帯機器に内蔵された時計部（図示せず）により取得することが可能である。この時刻情報は、季節、月、月日などの日付毎に指定することが可能である。
【００３５】
図５は本発明に関わる制御プロセッサの表示、バックライト制御の第４の一実施例を示すフローチャートである。本実施例では、制御プロセッサ部にリアルタイムクロック機能或いは携帯通信ネットワークなどを通じて、現在の時刻を知る機能を持つものとし、現在の時刻によって、制御の判定条件に使用するセンサーを、光センサーとタッチセンサーとで、切り替えるようにした実施例である。
【００３６】
本実施例のフローチャートは、前記、図２の一実施例のフローチャートに対し、バックライト自動点灯制御許可モードの場合に、現在の時刻をチェック（ステップ５１２０）し、その結果、周囲が明るい日中の時間帯の場合は光センサーの光検出値（ステップ５０３０）を制御の判定条件とし、周囲が暗い夜間の時間帯の場合はタッチセンサーのタッチ検出値（ステップ５０４０）を制御の判定条件とする。
【００３７】
図６は本発明に関わる制御プロセッサの操作キー入力マスク制御の一実施例を示すフローチャートである。制御プロセッサは、ステップ６０１０で、キー入力の自動マスク制御を許可するモードに設定されているかをチェックする。許可されている場合、光センサーがある値以上の明るさを検出しているかをチェック（ステップ６０２０）し、基準を越える明るさを検出している場合、操作キー部の状態をチェックしてキー操作の有無を確認（ステップ６０４０）し、キー操作がない場合、特に何もせず処理を抜け、キー操作があった場合は、その操作キーに対応した処理（ステップ６０５０）を実施して、処理を抜ける。基準を越える明るさを検出していない場合、タッチセンサーがタッチを検出しているかをチェック（ステップ６０３０）し、タッチを検出している場合、前記ステップ６０２０で明るさを検出している場合と同様に、操作キー部の状態をチェックしてキー操作の有無を確認（ステップ６０４０）し、キー操作がない場合、特に何もせず処理を抜け、キー操作があった場合は、その操作キーに対応した処理（ステップ６０５０）を実施して、処理を抜ける。このように制御することで、光センサー又はタッチセンサーの検出出力がない場合、キー入力を受付けないようにできる。これによって、携帯電話機をバッグや鞄の中などに入れているときに、操作キーが押されてしまった場合に、キーを受付けなくできるため、キー誤操作による入力を回避できる。
【００３８】
図７は本発明に関わる制御プロセッサの操作キー入力マスク制御の他の一実施例を示すフローチャートである。前記、図６の実施例のフローチャートでは、光検出とタッチ検出の条件を論理和条件としているが、図７の実施例では、論理積条件としたものである。全体的なフローは図６と同様となっているが、キー入力の自動マスク制御を許可するモードであった場合、光センサーの光検出（ステップ７０２０）とタッチセンサーのタッチ検出（ステップ７０３０）いずれもが検出された場合のみ、バックライトが点灯されているかをチェックするステップ７０４０に進む。光検出（ステップ７０２０）又はタッチ検出(ステップ７０３０)がなされなかった場合、携帯電話機はバッグや鞄の中にあると判断し、キー操作のチェックは行わない。
【００３９】
このように制御することにより、例えば鞄の中でキーが押されても明るさが十分でないためキー操作を受付けず、消費電力の低減を図ることができる。また、例えば周囲が明るくなった場合でも、タッチ検出されていない場合には何らかの原因により誤ってキーさ押されたものとしてキー操作を受付けず、消費電力の低減を図ることができる。
【００４０】
図８は本発明に関わる制御プロセッサの操作キー入力マスク制御の第３の一実施例を示すフローチャートである。本実施例では、制御プロセッサ部にリアルタイムクロック機能或いは携帯通信ネットワークなどを通じて、現在の時刻を知る機能を持つものとし、本実施例のフローチャートは、前記、図６の実施例のフローチャートに対し、光検出がない場合に、タッチ検出ステップに移行する前に、時刻による判定を加えた例である。全体的なフローは図６と同様となっているが、ステップ８０２０で光センサーが基準を越える明るさを検出していない場合、現在の時刻をチェック（ステップ８０８０）し、周囲が暗い夜間の時間帯の場合は、光センサーの情報のみで判断せず、タッチセンサーが人のタッチを検出しているかをチェック（ステップ８０３０）して、人の操作の有無を判断するようにしたものである。周囲が明るい日中の時間帯の場合は、光センサーの光検出値のみで、制御をするようにして、判定を単純化している。なお、明るい日中の時間帯と暗い夜間の時間帯は、制御プロセッサ部のメモリに設定値として設定できるようにしておく。また、日付や位置情報から自動的に判断するようにしてもよい。また、携帯通信のネットワークを通じて設定してもよい。
【００４１】
図９は本発明に関わる制御プロセッサの操作キー入力マスク制御の第４の一実施例を示すフローチャートである。本実施例では、制御プロセッサ部にリアルタイムクロック機能或いは携帯通信ネットワークなどを通じて、現在の時刻を知る機能を持つものとし、現在の時刻によって、制御の判定条件に使用するセンサーを、光センサーとタッチセンサーとで、切り替えるようにした実施例である。
【００４２】
本実施例のフローチャートは、前記、図６の一実施例のフローチャートに対し、バックライト自動点灯制御許可モードの場合に、現在の時刻をチェック（ステップ９０８０）し、その結果、周囲が明るい日中の時間帯の場合は光センサーの光検出値（ステップ９０２０）を制御の判定条件とし、周囲が暗い夜間時間帯の場合はタッチセンサーのタッチ検出値（ステップ９０３０）を制御の判定条件とする。
【００４３】
このように、複数の操作キーのキー入力検出と、液晶表示部とバックライトの制御を行う制御プロセッサが、光センサーとタッチセンサーの検出出力値を制御パラメータとして、その組合せを制御テーブル又はプログラムとして持つことにより、より柔軟なキー入力マスク制御や表示・バックライト制御が行えるようになる。
【００４４】
図１０は本発明に関わる携帯電話機の操作キー入力マスク制御の条件設定メニュー画面の一実施例である。本実施例では、メニューは階層構造を採っており、機能設定メニューを選択すると画面１００００を表示する。本実施例のメニュー画面は、図１０の画面１００００に示すように、携帯電話機のステータス情報を表示する領域１００１０と、選択メニュー名を表示する領域１００２０と、下位層の項目名表示領域（本例では7項目まで同時に表示可能となっている）１００３０と、アプリケーション機能キーのキー割当て名を表示する領域１００４０とから構成される。更に、携帯電話機のステータス情報表示領域１００１０は、電波状況を示すアイコン領域１００１１や、バッテリの残量を示すアイコン領域１００１２や、キーマスク機能設定状態を示すアイコン領域１００１３など、複数のアイコンを表示する領域で構成される。また、下位層のメニュー項目名の表示領域１００３０は、選択されているメニューに含まれている下位層のメニュー名が表示されるが、本実施例では、各階層のメニューで、更に下位層を持つメニュー名の右端に逆三角形の印を表示することで、更に下位層メニューが存在することを示す。
【００４５】
図１０に示した実施例では、操作キー入力のマスク制御をタッチ検出（光検出結果と論理積で）によって制御し、かつ、その制御が有効な時間を手動で設定する場合の階層メニューの遷移を示した。機能設定メニューを選択したときに表示される画面１００００では、複数の下位層メニューが存在し、本実施例の下位層の項目名表示領域１００３０に表示可能な項目数の(1)〜(7)の７項目が表示されている。図１０の画面１００００の下位層項目名表示領域１００３０に示すように、このメニュー項目中、選択されている項目は背景色が他の項目と違う色で表示される（文字色を変えても良い）。この選択されている項目は、上下方向のカーソルキーを押すごとに下位層のメニュー項目の中で上下するようになっている。つまり、上下方向のカーソルキーを押すごとに、下位層項目名表示領域１００３０に示されているメニュー項目中で、背景色が他の項目と違う色の選択されている項目は、１つずつ上下する。ここで、下位層のメニュー項目が最大同時表示数の７項目より多い場合、選択されている項目が一番下にあるときに下カーソルキーを押すこと、或いは選択されている項目が一番上にあるときに上カーソルキーを押すことで、画面が切り替り、例えば、下位層の項目名表示領域１００３０の上下方向に半分だけ移動して新たに３項目の下位層のメニューが表示される。或いは、一行分だけ上下して１項目だけ新たなメニューを表示するようにしても良い。また或いは、残りの下位層のメニュー項目だけ画面を上下して、残りのメニュー全てが表示されるようにしても良い。前記したように、上下カーソルキーで選択したい下位層のメニュー項目を選択している状態で、選択（決定）キーを押すことで、選択した下位層のメニュー画面に移る。このとき、下位のメニュー層がない場合、そのメニュー内容が確定するか、或いはメニュー内容に沿った値をテンキーで入力することが求められる。
【００４６】
本実施例で、操作キー入力のマスク制御のタッチ検出（光検出結果と論理積で）によって制御し、かつ、その制御が有効な時間を手動で設定するためには、機能設定メニュー画面１００００で(2)基本を上下カーソルキーで選択し、選択（確定）キーを押すことで、基本設定メニュー画面１０１００に切り替る。同様にして、(4)キーロックを選択することで、キー入力マスク設定（キーロック設定）メニュー画面１０２００に切り替り、(2)タッチセンサー制御を選択することで、キー入力マスク設定のタッチセンサー制御設定（キーロック設定２）メニュー画面１０３００に切り替り、(3)タッチ制御ＯＮ（ＡＮＤ）を選択することで、キー入力マスク設定のタッチセンサー制御設定の光センサーとの論理積（ＡＮＤ）によるタッチ制御設定（キーロック設定２−３）メニュー画面１０４００に切り替り、(5)時刻設定を選択することで、キー入力マスク設定のタッチセンサー制御設定の光センサーとの論理積（ＡＮＤ）によるタッチ制御設定の有効な時間帯の設定（キーロック設定２−３−５）メニュー画面１０５００に切り替り、(1)制御開始時刻を選択したところで、テンキーにより開始時刻の数値を入れ、更に(2)制御終了時刻を選択したところで、テンキーにより終了時刻の数値を入力すればよい。
【００４７】
また、画面１０４００のところのメニューで(2)常時有効を選択したならば、キー入力マスク設定のタッチセンサー検出による制御は常に有効となる。同様に画面１０４００のところのメニューで(1)オートを選択したならば、キー入力マスク設定のタッチセンサー検出による制御は、制御プロセッサ部のメモリに保持しているデフォルト値、或いは日付によって決められる時刻設定テーブル値から決まるキー入力マスク設定のタッチセンサー検出による制御有効時間帯の間、タッチセンサー検出によるキー入力マスク制御が有効になる。
【００４８】
また、画面１０３００のところのメニューで(2)タッチ制御ＯＮ（ＯＲ）を選択したならば、キー入力マスク設定のタッチセンサー制御設定の光センサーとの論理和（ＯＲ）によるタッチ制御が設定される。
【００４９】
また、画面１０２００のところのメニューで(1)光センサー制御を選択したならば、キー入力マスク設定の光センサー検出による制御に関する設定が行える。
【００５０】
また、光センサーとタッチセンサーの検出出力値を制御パラメータとする表示・バックライト制御については、画面１０１００のところのメニューで(3)画面の下位層のメニューに含まれ、キー入力マスク制御選択メニュー同様の構成で実現される。
【００５１】
本実施例では、メニュー画面はキャラクタベースとなっているが、グラフィック画面を利用したアイコン表示としても良い。また、本実施例では、カーソルキーによってメニューを選択するようにしているが、液晶表示部表面にタブレット機能を実装して、タブレットに入力によりメニューを選択する方式としてもよい。
【００５２】
このように、様々な設定を画面表示することにより、ユーザの好みに応じて様々な設定を容易に行うことができる。
【００５３】
図１１は本発明に関わる光センサー及びタッチセンサーを備えた携帯電話機の一実施例の概観図である。本実施例は、図１１に示すように、ＲＦ部やバッテリなどを持つ底面ユニット１１１００と、表示部などを持つ上面ユニット１１２００の大きく二つのユニットで構成される。
【００５４】
底面ユニット１１１００には、送話用のマイク１１１１０と、電波送受信用アンテナ１１１２０と、呼出し音や音楽などを鳴らすスピーカ１１１３０と、充電器や外部機器と接続するためのインタフェースコネクタ１１１４０と、外付けのマイク／イヤフォンを接続するためのコネクタ１１１５０と、番号入力や文字入力時に使用するテンキー１１１６０と、携帯電話機の動作モード設定などに使用するモードスイッチ１１１７０が設けられている。上面ユニット１１２００には、バックライト付き液晶表示モジュール１１２１０と、通話用スピーカ１１２２０と、カメラ１１２３０と、カメラ用補助光源ＬＥＤ１１２４０と、簡易鏡１１２５０と、各種操作用機能キー１１２６０と、方向を指示するためのカーソルキー１１２７０が設けられている。液晶表示モジュール１１２１０の表面にタブレット機能を組み込んでいても良い。
【００５５】
周囲の明るさを検出する光センサー１１１８０は、本実施例の携帯電話機を使用する場合に手で覆われてしまうのを避けるため、手で握られる部分を避けるように、側面中央付近及び背面中央付近を避けて配置する。本実施例では底面ユニットの下側、マイク１１１１０の近くに配置している。なお、ここでは底面ユニットの下部に配置するようにしたが、これに限られず、上面ユニットの上部（例えば液晶表示画面の上）等であっても構わない。また、光センサーを複数配置することにより、片方の光センサーが手で覆われてしまった場合でも、もう片方の光センサーで周囲の光量を検出できるようにすることが可能である。
【００５６】
一方、タッチセンサー１１１９０は、本実施例の携帯電話機を使用する場合に手で触れられていることを検出するため、手で握られる部分、側面中央付近又は背面中央付近に配置する。本実施例では右側面中央付近に配置している。ここで、これらのセンサーを複数個配置して、それらの検出値を制御プロセッサに入力し、本実施例の携帯電話機の状態をより統合的に判断することで、より柔軟な表示制御やキーマスク制御をすることも考えられる。
【００５７】
本実施例では、底面ユニット１１１００と上面ユニット１１２００が、収納時（待受け時）や、テンキー１１１６０による入力が必要でない操作を行う場合、長軸方向にスライドすることで、底面ユニット１１１００と上面ユニット１１２００を重ねた、コンパクトな外形とすることができるスライド式の筐体となっている。スライド式筐体の携帯電話機では、底面ユニットと上面ユニットの1つの側面部を支点とし、ヒンジでつなぎ合せた構造を採る折りたたみ型と異なり、閉じた状態においても、メインの液晶が表面に配置される。このため、閉じた状態でも多くの情報を表示することが可能であり、何らキー操作を行わない状態で、情報を表示する利用方法が考えられる。このような場合、特に、鞄などから取り出したときに、バックライトが点灯し、視認性良く情報が確認できることは、その使い勝手の向上につながる。
【００５８】
次に実施例２について説明する。
【００５９】
図１２は、携帯電話機の本発明に関わる制御部の第２の実施例を示すブロック構成図である。本実施例では、前記図１に示した第１の実施例のブロック構成図に対し、光センサー１２１４０と制御プロセッサ部１２０１０の間に明るさ変化検出部１２１６０を追加し、タッチセンサー１２１５０と制御プロセッサ部１２０１０の間にタッチ変化検出部１２１７０を追加した構成となっている。
【００６０】
明るさ変化検出部１２１６０は、光センサー１２１４０から出力される携帯電話機周辺の明るさ検出信号１２１４１を入力し、例えば微分回路を用いてその変化量を常に監視する。そして、その変化があるしきい値（固定値、或いは設定可能な値）を越えたとき、本携帯電話機の周囲の明るさ、つまり環境に変化があったことを示す明るさ変化検出信号１２１６１を制御プロセッサ部１２０１０に出力する。同様に、タッチ変化検出部１２１７０は、タッチセンサー１２１５０から出力されるタッチ検出信号１２１５１を入力し、その変化量を常に監視する。そして、その変化があるしきい値（固定値、或いは設定可能な値）を越えたとき、本携帯電話機のタッチ状態、つまり操作状態に変化があったことを示すタッチ状態変化検出信号１２１７１を制御プロセッサ部１２０１０に出力する。
【００６１】
制御プロセッサ部１２０１０は、この明るさ変化検出部１２１６０から出力される明るさ変化検出信号１２１６１や、タッチ変化検出部１２１７０から出力されるタッチ状態変化検出信号１２１７１がアサートになったときにのみ、光センサー１２１４０やタッチセンサー１２１５０の情報に対する処理を行う。このようにすれば、制御プロセッサは、待受け状態時に、基地局からの呼出し信号確認のための周期のみに復帰すれば良く、明るさやタッチ状態の変化に対するレスポンスを犠牲にすることなく、スリープ期間を延ばすことができ、低消費電力化に効果がある。
【００６２】
図１３は、図１２で示した実施例における、携帯電話機周辺の明るさの変化１３０１０と、光センサーの検出出力１３０２０と、明るさ変化検出部の出力の関係を示した
一例である。図１３に示すように、周辺の明るさが暗い状態から明るい状態に切り替るときは、光センサーの出力は、低いレベルから高いレベルに変化する。この変化点１３０２１では、その変化量（微分値）１３０３０は、１３０３１のように正のパルスが生じる。一方、明るい状態から暗い状態に切り替るときは、光センサーの出力は、高いレベルから低いレベルに変化する。この変化点１３０２２では、その変化量１３０３０は、１３０３２のように負のパルスが生じる。この変化量の絶対値がある値より大きいところを明るさ変化検出出力１３０４０とすると、明るさの変化点を出力できる。また、この変化量の極性を変化極性信号１３０５０として出力すると、前記明るさ変化検出出力１３０４０がアサートされたときの変化の方向、つまり正極性のときは暗い状態から明るい状態への変化を示し、負極性のときは明るい状態から暗い状態への変化を示す。このように、光センサーの検出出力の変化量を求めることにより、明るさに大きな変化が生じたところだけを取り出すことが可能となる。
【００６３】
以上、実施例１、実施例２に示したように、光センサーとタッチセンサーによって、携帯電話機の置かれている状態を判断することができるため、携帯電話機のキーロック／キーロック解除の操作性の向上や、柔軟なバックライトＯＮ／ＯＦＦ制御が可能となり、消費電力を抑えつつ、使い勝手の向上を図ることが可能となる。
【００６４】
また、携帯電話機やパーソナル情報端末など薄型の情報表示部と、複数の操作キーやタブレットなどの操作入力部を持ち、持ち運べるようにバッテリ駆動などオフラインによる電源供給が可能となっているために省電力制御が必要な機器の表示制御や、持ち運べるためにバッグや鞄やポケットなどに入れておいたときに誤操作が発生する可能性がある機器の操作入力部のマスク制御に利用することが可能となる。
【図面の簡単な説明】
【００６５】
【図１】携帯電話機の本発明に関わる制御部の第１の実施例のブロック構成図。
【図２】本発明に関わるバックライト点灯制御動作の第１の実施例のフローチャート。
【図３】本発明に関わるバックライト点灯制御動作の第２の実施例のフローチャート。
【図４】本発明に関わるバックライト点灯制御動作の第３の実施例のフローチャート。
【図５】本発明に関わるバックライト点灯制御動作の第４の実施例のフローチャート。
【図６】本発明に関わる操作キー入力マスク制御動作の第１の実施例のフローチャート。
【図７】本発明に関わる操作キー入力マスク制御動作の第２の実施例のフローチャート。
【図８】本発明に関わる操作キー入力マスク制御動作の第３の実施例のフローチャート。
【図９】本発明に関わる操作キー入力マスク制御動作の第４の実施例のフローチャート。
【図１０】本発明に関わる携帯電話機の操作キー入力マスク制御の条件設定のメニュー画面の例。
【図１１】本発明に関わる携帯電話機の概観図の例。
【図１２】携帯電話機の本発明に関わる制御部の第２の実施例のブロック構成図。
【図１３】本発明に関わる制御部の第２の実施例で示した明るさ変化検出部の入出力信号の波形例。
【符号の説明】
【００６６】
１０１０、１２０１０…制御プロセッサ、
１０２０、１２０２０…液晶表示部、
１０３０、１２０３０…バックライト、
１０４０、１２０４０…液晶駆動制御部、
１０５０、１２０５０…バックライト駆動制御部、
１０６０、１２０６０…操作キー部、
１０７０、１２０７０…呼出音生成制御部、
１０８０、１２０８０…音声処理部、
１０９０、１２０９０…スピーカ（受話部）、
１１００、１２１００…マイク（送話部）、
１１１０、１２１２０…無線通信回路部、
１１２０、１２１３０…アンテナ、
１１３０、１２１４０…光センサー、
１１４０、１２１５０…タッチセンサー、
１２１６０…明るさ変化検出部、
１２１７０…タッチ変化検出部、
１００００…機能設定メニュー画面、
１０１００…基本設定メニュー画面、
１０２００…キーロック設定メニュー画面、
１０３００…キーロック設定２メニュー画面、
１０４００…キーロック設定２−３メニュー画面、
１０５００…キーロック設定２−３−５メニュー画面、
１００１０、１０１１０、１０２１０、１０３１０、１０４１０、１０５１０…メニュー画面のステータス情報表示領域、
１００２０、１０１２０、１０２２０、１０３２０、１０４２０、１０５２０…メニュー画面の選択メニュー名表示領域、
１００３０、１０１３０、１０２３０、１０３３０、１０４３０、１０５３０…メニュー画面の下位層項目名表示領域、
１００４０、１０１４０、１０２４０、１０３４０、１０４４０、１０５４０…メニュー画面のアプリケーション機能キーのキー割当て名表示領域、
１１１００…携帯電話機底面ユニット、
１１２００…携帯電話機上面ユニット、
１１１１０…マイク、
１１１２０…電波送受信用アンテナ、
１１１３０…着信音用スピーカ、
１１１４０…充電器／外部機器接続インタフェースコネクタ、
１１１５０…マイク／イヤフォン接続コネクタ、
１１１６０…テンキー、
１１１７０…モードスイッチ、
１１１８０…光センサー、
１１１９０…タッチセンサー、
１１２１０…バックライト付き液晶表示モジュール、
１１２２０…通話用スピーカ、
１１２３０…カメラ、
１１２４０…カメラ用補助光源ＬＥＤ、
１１２５０…簡易鏡、
１１２６０…機能キー、
１１２７０…カーソルキー、
１３０１０…明るさの変化、
１３０２０…光センサーの検出出力信号、
１３０３０…光センサーの検出出力の変化、
１３０４０…明るさ変化検出信号、
１３０５０…明るさ変化極性信号。
【図１】
2005354544.tif 000003
【図２】
2005354544.tif 000004
【図３】
2005354544.tif 000005
【図４】
2005354544.tif 000006
【図５】
2005354544.tif 000007
【図６】
2005354544.tif 000008
【図７】
2005354544.tif 000009
【図８】
2005354544.tif 000010
【図９】
2005354544.tif 000011
【図１０】
2005354544.tif 000012
【図１１】
2005354544.tif 000013
【図１２】
2005354544.tif 000014
【図１３】
2005354544.tif 000015